(57)【要約】【課題】出し入れが容易なバッグの前面側収納部に貴重品を収容していても、スリ犯から確実に貴重品を守ることができる防犯バッグを提供すること。【解決手段】前面側収納部２の構成壁前面に錠本体４０と施錠部４１を有する錠前４を分離不能に取り付けると共に、前面側収納部２が閉状態となるファスナー位置において前記施錠部にファスナーのスライダーを分離可能に取り付けてあり、前記施錠部４１を開錠して当該施錠部４１からスライダーを３０分離させない限りスライダー３０がほとんど移動できないように拘束されている。【選択図面】図２
0003114912.tif 000002
【実用新案登録請求の範囲】
【請求項１】
鞄本体の前面側収納部がファスナーにより開閉できる形式のバッグであって、前面側収納部の構成壁前面に錠本体と施錠部を有する錠前を分離不能に取り付けると共に、前面側収納部が閉状態となるファスナー位置において前記施錠部にファスナーのスライダーを分離可能に取り付けてあり、前記施錠部を開錠して当該施錠部からスライダーを分離させない限りスライダーがほとんど移動できないように拘束されていることを特徴とする防犯バッグ。
【請求項２】
錠前における前面側収納部の構成壁前面への取り付け部分は、視認不能となるように被覆部により覆われていることを特徴とする請求項１記載の防犯バッグ。
【請求項３】
鞄本体の前面側収納部が複数室に区画されていると共に、前記複数室はそれぞれファスナーが備えられていることを特徴とする請求項１又は２記載の防犯バッグ。
【請求項４】
錠前は、複数のダイヤルを定められた数にあわせることにより開錠できるものであることを特徴とする請求項１乃至３のいずれかに記載の防犯バッグ。
【考案の詳細な説明】
【技術分野】
【０００１】
この考案は、貴重品をスリ犯から守るための防犯バッグに関するものである。
【背景技術】
【０００２】
近年、治安の悪化が進み、人込みや満員電車などにおいてスリ犯罪が多発している。
【０００３】
ところで、女性の衣服は、機能性よりもファッション性が優先される傾向が強いことからポケットが少なく、このため財布等の貴重品はバッグ本体の前面側に設けられた収納部（前面側収納部）に収容して持ち運ばれることが多い。このように、バッグ鞄の前面側収納部にあえて収容するのは貴重品の出し入れが容易であることに起因する。
【０００４】
スリ犯は上記のことを熟知しており、人込みを利用してバッグの前面側収納部（バッグを持ったときに身体に接する面と反対側の面に位置する）の閉具であるファスナーを気づかれることなく開けることによって貴重品などを盗み取る手口を採っている。
【０００５】
なお、スリ犯からバッグ内に収容させた貴重品を守る方法としては、例えば人込みや満員電車などにおいてバッグの前面側収容部を手で押さえるということが考えられるが、常時気を付けることは不可能であり、また、かえってスリ犯の目を引く可能性もある。
【０００６】
したがって、バッグを取り扱う業界では、出し入れが容易なバッグの前面側収納部に貴重品を収容していても、スリ犯から確実に貴重品を守ることができる防犯バッグの開発に取り組んでいる。
【考案の開示】
【考案が解決しようとする課題】
【０００７】
そこで、この考案では、出し入れが容易なバッグの前面側収納部に貴重品を収容していても、スリ犯から確実に貴重品を守ることができる防犯バッグを提供することを課題とする。
【課題を解決するための手段】
【０００８】
〔請求項１記載の考案〕
この考案は、鞄本体の前面側収納部がファスナーにより開閉できる形式のバッグであって、前面側収納部の構成壁前面に錠本体と施錠部を有する錠前を分離不能に取り付けると共に、前面側収納部が閉状態となるファスナー位置において前記施錠部にファスナーのスライダーを分離可能に取り付けてあり、前記施錠部を開錠して当該施錠部からスライダーを分離させない限りスライダーがほとんど移動できないように拘束されている。
〔請求項２記載の考案〕
この考案の防犯バッグは、上記請求項１記載の考案に関し、錠前における前面側収納部の構成壁前面への取り付け部分は、視認不能となるように被覆部により覆われている。
〔請求項３記載の考案〕
この考案の防犯バッグは、上記請求項１又は２記載の考案に関し、鞄本体の前面側収納部が複数室に区画されていると共に、前記複数室はそれぞれファスナーが備えられている。
〔請求項４記載の考案〕
この考案の防犯バッグは、上記請求項１乃至３のいずれかに記載の考案に関し、錠前は、複数のダイヤルを定められた数にあわせることにより開錠できるものである。
【考案の効果】
【０００９】
本考案の防犯バッグを用いると、出し入れが容易なバッグの前面側収納部に貴重品を収容していても、スリ犯から確実に貴重品を守ることができる。
【考案を実施するための最良の形態】
【００１０】
以下にこの考案の防犯バッグを実施するための最良の形態としての実施例似ついて詳細に説明する。
【実施例１】
【００１１】
図１はこの考案の防犯バッグＢの全体斜視図、図２は前記防犯バッグＢの前面側収納部２のファスナー３ｃ，３ｄを開くことができない状態にした場合の拡大斜視図、図３は前記防犯バッグＢの前面側収納部２のファスナー３ｃ，３ｄを開くことが可能である状態にした場合の拡大斜視図を示している。
（この防犯バッグＢの構成について）
この防犯バッグＢは、図１に示すように、比較的柔らかい生地を縫製してなるソフトバッグであり、大容量の収納部１と、前記収納部１の前面側に設けられた小容量の前面側収納部２とから構成されていると共に、前記前面側収納部２の不用意な開操作を阻止する錠前４を備えている。
【００１２】
以下に、この防犯バッグＢを構成する収納部１、前面側収納部２及び錠前４等について詳述する。
【００１３】
収納部１は、図１に示すように、前壁部１０、後壁部１１、両マチ部１２，１２、底壁部１３及び上壁部１４から構成されており、前記上壁部１４から両マチ部１２，１２にかけた前面近傍部分及び後面近傍部分にファスナー３ａ，３ｂを設けてある。したがって、この防犯バッグＢでは、前壁部１０を開けると大きな収納部があらわになる。
【００１４】
上記収納部１を構成する上壁部１４には、図１や図２に示すように把手１５をリベット止めしてあり、また、マチ部１２，１２の上域には同図に示すように肩ベルトを取り付けるためのフック１６をそれぞれ取り付けてある。
【００１５】
前面側収容部２は、図１に示すように、前壁部２０、上記前壁部１０を共有して成る後壁部２１、両マチ部２２，２２、底壁部２３及び上壁部２４から構成されており、全体としては正面視で前壁部１０よりも小さく且つ幅狭に形成されている。また、この前面側収納部２には、図１や図２に示すように、上壁部２４から両マチ部２２，２２にかけてファスナー３ｃを設けてあり、その前域部に開口部にファスナー３ｄを設けたポケット２９を設けると共に前記ファスナー３ｃ部分を前垂れ２８で覆ってある。更に、この前面側収納部２では図１や図２に示すように、前壁部２０に上記した錠前４の一部及び当該前壁部２０への取り付け部分を覆う被覆部２５を設けてある。
【００１６】
なお、この防犯バッグＢでは、図１や図２に示すように、上記した全てのファスナー３においてスライダー３０の引手３１を鋼線で長円形状に形成されたものとしてある。
【００１７】
錠前４は、図１や図２に示すように、錠本体４０と施錠部４１を有するものであり、錠本体４０に設けられた三個のダイヤル４２を定められた数にあわせることにより開錠（バネの付勢力に抗して施錠部４１が図２の実線の状態から二点鎖線の位置に移動）できるようになっている。したがって、錠前４の開錠
状態においてスライダー３０の引手３１を施錠部４１に押し付けるだけで、引手４１の空間部分に施錠部４１が挿通された状態になる。ここで、この錠前４は、図２に示すように錠本体４０に孔４３を有しており、この孔４３に挿通された強度のある帯状体５を前壁部２０又は／及び被覆部２５に縫着してある。この縫着状態において、錠前４の一部及び帯状体５は被覆部２５により隠れた状態になっている。
【００１８】
なお、錠前４の前壁部２０又は／及び被覆部２５への取り付けは、施錠部４１を開錠して当該施錠部４１からスライダー３０の引手３１を離脱させない限りスライダー３０が開く方向へとほとんど移動できない位置になされている。
（この防犯バッグＢの機能について）
この防犯バッグBは、以下に示す如く優れた機能を有する。
(1)スリ犯は、人込みや満員電車において、バッグに身体を押し付けて前面側収納部のファスナーを開いたとほぼ同時に前面側収納部内の貴重品を抜き取ると考えられる。
【００１９】
この防犯バッグＢを用いる場合、従来のバッグ同様に出し入れが容易なバッグの前面側収納部２に貴重品を収容する。次に、図１や図２に示す如く、錠前４の施錠部４１を開錠状態にし、施錠部４１に三個のスライダー３０の引手３１の内側空間部分に施錠部４１を挿通させる。この状態ではファスナー３ｃ，３ｄを開く方向にスライダー３０をほとんど移動させることができないこととなっている。
【００２０】
上記状態において、人込みや満員電車において、スリ犯がバッグに身体を押し付けて前面側収納部のファスナー３ｃ，３ｄを開こうとしても当該ファスナー３ｃ，３ｄを開くことができない。よって、前面側収納部２内の貴重品を抜き取ることができない。
【００２１】
また、錠前４の一部及び帯状体５は被覆部２５により隠れた状態になっており、錠前４を前壁部２０又は／及び被覆部２５に取り付けている帯状体５を刃物等で瞬時に切断することは非常に困難である。
【００２２】
つまり、この防犯バッグＢを使用した場合、前面側収納部２に収容された貴重品をスリ犯から守ることができる。
【００２３】
上記の機能は、ポケット２９に入れた内容物に対しても同じである。
(2)自分自身が、前面側収納部２から貴重品等を取り出す場合は、錠本体４０に設けられた三個のダイヤル４２を定められた数にあわせることにより開錠し、施錠部４１からスライダー３０の引手３１を抜き取る。これによりスライダー３０は自由に移動させることができることとなり、自由にファスナー３ｃ，３ｄを開くことができる。
【００２４】
つまり、自分自身は、容易に貴重品の出し入れができる。
(3)錠前は人目によくつく前面側収納部２に位置するので、色や形状を見栄えのよいものにすると、バッグ全体の価値は向上することになる。
（他の実施の形態）
錠前４は上記形態のものにかかわらず、南京錠やワイヤー錠その他のものであってもよい。つまり、引手３１の内部空間に施錠部４１を挿通できる形態の錠前４であれば、全てのものが使用できる。
【００２５】
また、錠前４は、錠本体４０に設けられた複数個のダイヤル４２を定められた数にあわせることにより開錠できるもの以外に、キーを錠本体４０に形成されたキー孔に差し込んだ後に回転して開錠する形態のものでもよい。
【図面の簡単な説明】
【００２６】
【図１】この考案の防犯バッグの全体斜視図。
【図２】前記防犯バッグの前面側収納部のファスナーを開くことができない状態にした場合の拡大斜視図。
【図３】前記防犯バッグの前面側収納部のファスナーを開くことが可能である状態にした場合の拡大斜視図。
【符号の説明】
【００２７】
Ｂ      防犯バッグ
１      収納部
２      前面側収納部
２０    前壁部
２１    後壁部
２２    マチ部
２３    底壁部
２４    上壁部
２５    被覆部
２８    前垂れ
２９    ポケット
３ｃ    ファスナー
３ｄ    ファスナー
３０    スライダー
３１    引手
４      錠前
４０    錠本体
４１    施錠部
４２    ダイヤル
４３    孔
５      帯状体
【図１】
0003114912.tif 000003
【図２】
0003114912.tif 000004
【図３】
0003114912.tif 000005